【手続補正書】
【提出日】平成22年5月31日(2010.5.31)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報を可変表示する可変表示部を備え、前記可変表示部における識別情報の表示結果が予め定められた特定表示結果となったときに、遊技者にとって有利な特定遊技状態に制御する遊技機であって、
前記特定表示結果とするか否かを、前記識別情報の表示結果が導出表示される以前に決定する事前決定手段と、
前記事前決定手段の決定結果にもとづいて、前記特定表示結果となる可能性があることを報知する予告演出の態様を決定する予告演出決定手段と、
前記予告演出決定手段により決定された予告演出を実行する予告演出実行手段とを備え、
前記予告演出は、予め定められた順番に従って１段階から複数段階まで演出の態様を段階的に変化させる予告演出であって、前記特定表示結果とする場合は該特定表示結果としない場合よりも多い段階まで演出の態様を段階的に変化させる予告演出を実行する割合が高いステップアップ予告演出を含み、
前記ステップアップ予告演出は、段階的に変化する第１演出、第２演出および第３演出を含む少なくとも３段階以上の演出を実行可能な通常ステップアップ予告演出と、該通常ステップアップ予告演出が実行されている途中の段階である第１分岐タイミングで、次段階の演出に変化させずに、前記通常ステップアップ予告演出に含まれる演出とは異なる別系統の第１別系統演出に移行して当該第１別系統演出を実行する第１別系統ステップアップ予告演出と、該通常ステップアップ予告演出が実行されている途中の段階である前記第１分岐タイミング以降の第２分岐タイミングで、次段階の演出に変化させずに、前記通常ステップアップ予告演出に含まれる演出とは異なる別系統の第２別系統演出に移行して当該第２別系統演出を実行する第２別系統ステップアップ予告演出とを含み、
前記予告演出実行手段は、前記第１別系統ステップアップ予告演出または前記第２別系統ステップアップ予告演出を実行するときには、前記通常ステップアップ予告演出における前記第１演出から前記第２演出に変化するタイミングまたは前記第２演出から前記第３演出に変化するタイミングと同じタイミングで前記第１別系統演出または前記第２別系統演出のうちの少なくともいずれか一つの別系統演出を開始する
ことを特徴とする遊技機。
【請求項２】
第２分岐ステップアップ予告演出で実行される第２別系統演出は、第１分岐ステップアップ予告演出で実行される第１別系統演出とは異なる演出である
請求項１記載の遊技機。
【請求項３】
遊技者が操作可能な操作手段を備え、
第１別系統演出および第２別系統演出のうち少なくとも一方の演出は、前記遊技者による前記操作手段の操作に応じて特定表示結果となる可能性があることを報知する操作対応演出である
請求項１または請求項２記載の遊技機。
【請求項４】
ステップアップ予告演出は、通常ステップアップ予告演出、第１別系統ステップアップ予告演出および第２別系統ステップアップ予告演出とは異なる特別ステップアップ予告演出を含み、
予告演出実行手段は、前記ステップアップ予告演出として前記通常ステップアップ予告演出と前記特別ステップアップ予告演出とを可変表示中の同一期間に同時に実行可能である
請求項１から請求項３のうちのいずれかに記載の遊技機。
【請求項５】
予告演出実行手段は、可変表示中における予め定められた異なるタイミングで、通常ステップアップ予告演出および特別ステップアップ予告演出における演出の態様を段階的に変化させる制御を実行する
請求項４記載の遊技機。
【請求項６】
予告演出実行手段は、可変表示中における予め定められた同一のタイミングで、通常ステップアップ予告演出および特別ステップアップ予告演出における演出の態様を段階的に変化させる制御を実行する
請求項４記載の遊技機。
【請求項７】
事前決定手段によって特定表示結果としない旨の決定がなされたことにもとづいて、識別情報の可変表示状態を所定のリーチ状態とするか否かを決定するリーチ決定手段と、
前記事前決定手段の決定結果または前記リーチ決定手段による決定結果の少なくとも一方にもとづいて、前記識別情報の変動パターン種別を複数種類のいずれかに決定する変動パターン種別決定手段と、
前記変動パターン種別決定手段により決定された変動パターン種別に含まれる変動パターンの中から前記識別情報の変動パターンを決定する変動パターン決定手段と、
前記変動パターン決定手段の決定結果に対応して、前記識別情報の可変表示中に当該識別情報の可変表示を含む演出動作を実行する演出動作実行手段とを備えた
請求項１から請求項６のうちのいずれかに記載の遊技機。
【手続補正２】
【補正対象書類名】明細書
【補正対象項目名】００１２
【補正方法】変更
【補正の内容】
【００１２】
本発明による遊技機は、各々を識別可能な複数種類の識別情報（例えば、第１特別図柄、第２特別図柄、演出図柄）を可変表示する可変表示部（第１特別図柄表示器８ａ、第２特別図柄表示器８ｂ、演出表示装置９）を備え、可変表示部における識別情報の表示結果があらかじめ定められた特定表示結果（例えば、大当り図柄）となったときに、遊技者にとって有利な特定遊技状態（例えば、大当り遊技状態）に制御する遊技機であって、特定表示結果とするか否かを、識別情報の表示結果が導出表示される以前に決定する事前決定手段（例えば、遊技制御用マイクロコンピュータ５６０におけるステップＳ６１の処理を実行する部分）と、事前決定手段の決定結果にもとづいて、特定表示結果となる可能性があることを報知する予告演出の態様を決定する予告演出決定手段（例えば、演出制御用マイクロコンピュータ１００におけるステップＳ５１７の予告演出設定処理を実行する部分）と、予告演出決定手段により決定された予告演出を実行する予告演出実行手段（例えば、演出制御用マイクロコンピュータ１００におけるステップＳ８４６〜Ｓ８５５の処理を実行する部分）と、遊技者が操作可能な操作手段（例えば、操作ボタン１２０）とを備え、予告演出は、予め定められた順番に従って１段階から複数段階まで演出の態様を段階的に変化させる予告演出（例えば、予告演出Ａ〜Ｄ）であって、特定表示結果とする場合は該特定表示結果としない場合よりも多い段階まで演出の態様を段階的に変化させる予告演出を実行する割合が高いステップアップ予告演出（例えば、第１ステップアップ予告演出）を含み、ステップアップ予告演出は、段階的に変化する第１演出（例えば予告演出Ａ）、第２演出（例えば予告演出Ｂ）および第３演出（例えば予告演出Ｃ）を含む少なくとも３段階以上の演出を実行可能な通常ステップアップ予告演出（例えば、図７０に示すメインステップアップ）と、該通常ステップアップ予告演出が実行されている途中の段階である第１分岐タイミング（例えば、図７４（Ａ）に示す予告演出が実行終了後のタイミング）で、次段階の演出に変化させずに、通常ステップアップ予告演出に含まれる演出とは異なる別系統の第１別系統演出（例えば、図７４（Ｅ），（Ｆ）に示す予告演出）に移行して当該第１別系統演出を実行する第１別系統ステップアップ予告演出と、該通常ステップアップ予告演出が実行されている途中の段階である第１分岐タイミング以降の第２分岐タイミング（例えば、図７５（Ｂ）に示す予告演出が実行中のタイミング）で、次段階の演出に変化させずに、通常ステップアップ予告演出に含まれる演出とは異なる別系統の第２別系統演出（例えば、図７５（Ｇ），（Ｈ１），（Ｈ２），（Ｉ１），（Ｉ２）に移行して当該第２別系統演出を実行する第２別系統ステップアップ予告演出とを含み、予告演出決定手段は、第１別系統ステップアップ予告演出または第２別系統ステップアップ予告演出を実行するときには、通常ステップアップ予告演出における第１演出から第２演出に変化するタイミング（例えば、図７４（Ａ）に示す予告演出から図７４（Ｂ）に示す予告演出に変化するタイミング）または第２演出から第３演出に変化するタイミング（例えば、図７４（Ｂ）に示す予告演出から図７４（Ｃ）に示す予告演出に変化するタイミング）と同じタイミングで第１別系統演出または第２別系統演出のうちの少なくともいずれか一つの別系統演出を開始する（例えば、図７４（Ａ）に示す予告演出から図７４（Ｂ）に示す予告演出に変化するタイミングと同じタイミングで、図７４（Ａ）に示す予告演出から図７４（Ｅ）に示す予告演出に変化させる）ことを特徴とする（図１０１，図１０３〜図１０６参照）。
【手続補正３】
【補正対象書類名】明細書
【補正対象項目名】００１３
【補正方法】変更
【補正の内容】
【００１３】
第２別系統ステップアップ予告演出で実行される第２別系統演出（例えば、図７５（Ｇ），（Ｈ１），（Ｈ２），（Ｉ１），（Ｉ２）に示す予告演出）は、第１別系統ステップアップ予告演出で実行される第１別系統（例えば、図７４（Ｅ），（Ｆ）に示す予告演出）とは異なる演出である（図７４および図７５参照）であるように構成されていてもよい。
【手続補正４】
【補正対象書類名】明細書
【補正対象項目名】００１４
【補正方法】変更
【補正の内容】
【００１４】
遊技者が操作可能な操作手段（例えば、操作ボタン１２０）を備え、第１別系統演出および第２別系統演出のうち少なくとも一方の演出は、遊技者による操作手段の操作に応じて特定表示結果となる可能性があることを報知する操作対応演出（例えば予告演出Ｅ，Ｆ）である（図７４（Ｅ）参照）ように構成されていてもよい。
【手続補正５】
【補正対象書類名】明細書
【補正対象項目名】００１５
【補正方法】変更
【補正の内容】
【００１５】
ステップアップ予告演出は、通常ステップアップ予告演出、第１別系統ステップアップ予告演出および第２別系統ステップアップ予告演出とは異なる特別ステップアップ予告演出（例えば、第２ステップアップ予告演出）を含み、予告演出実行手段は、ステップアップ予告演出として通常ステップアップ予告演出と特別ステップアップ予告演出とを可変表示中の同一期間に同時に実行可能である（例えば、図１０１に示す例では、演出図柄の高速変動中および演出図柄の停止期間において第１ステップアップ予告演出と第２ステップアップ予告演出とを実行可能である。実施の形態２，３における第１ステップアップ予告演出と第２ステップアップ予告演出についても同様である。）構成とされていてもよい。
【手続補正６】
【補正対象書類名】明細書
【補正対象項目名】００１６
【補正方法】変更
【補正の内容】
【００１６】
予告演出実行手段は、可変表示中における予め定められた異なるタイミングで、通常ステップアップ予告演出および特別ステップアップ予告演出における演出の態様を段階的に変化させる制御を実行する（例えば、図１４９に示すように、予告演出Ａから予告演出Ｂに変化するタイミングと予告演出Ｘから予告演出Ｙに変化するタイミングは異なり、予告演出Ｂから予告演出Ｃに変化するタイミングと予告演出Ｙから予告演出Ｚ，ｚに変化するタイミングも異なる。具体例として、図１５１および図１５２に示すように、第１ステップアップ予告演出の予告演出Ａと第２ステップアップ予告演出の予告演出Ｘが開始された後（９−２）（９−３）、第１ステップアップ予告演出において予告演出Ａから予告演出Ｂに変化し（９−４）、次に第２ステップアップ予告演出において予告演出Ｘから予告演出Ｙに変化し（９−５）、次に予告演出Ｙから予告演出Ｚ，ｚに変化している（９−６）（９−７）（９−９）（９−１２）。）ように構成されていてもよい。
【手続補正７】
【補正対象書類名】明細書
【補正対象項目名】００１７
【補正方法】変更
【補正の内容】
【００１７】
予告演出実行手段は、可変表示中における予め定められた同一のタイミングで、通常ステップアップ予告演出および特別ステップアップ予告演出における演出の態様を段階的に変化させる制御を実行する（例えば、図１２６に示す例では、演出図柄の高速変動期間に同時に第１ステップアップ予告演出と第２ステップアップ予告演出とを同一のタイミングで実行する。具体例として、図１２８および図１２９に示すように、第１ステップアップ予告演出の予告演出Ａと第２ステップアップ予告演出の予告演出Ｗが開始された後（１−２）（１−３）、同一のタイミングＴ３で、第１ステップアップ予告演出の予告演出Ａから予告演出Ｂに変化するとともに第２ステップアップ予告演出の予告演出Ｗから予告演出Ｘ１に変化し（１−４）、その後、同一のタイミングＴ４で、第１ステップアップ予告演出の予告演出Ｂから予告演出Ｃに変化するとともに第２ステップアップ予告演出の予告演出Ｘから予告演出Ｙ１に変化し（１−５）、その後、同一のタイミングＴ５で、第１ステップアップ予告演出の予告演出Ｃから予告演出Ｄに変化するとともに第２ステップアップ予告演出の予告演出Ｙ１から予告演出Ｚ１に変化する（１−６）。）ように構成されていてもよい。
【手続補正８】
【補正対象書類名】明細書
【補正対象項目名】００１９
【補正方法】変更
【補正の内容】
【００１９】
本発明による遊技機は、各々を識別可能な複数種類の識別情報を可変表示する可変表示部を備え、可変表示部における識別情報の表示結果が予め定められた特定表示結果となったときに、遊技者にとって有利な特定遊技状態に制御する遊技機であって、特定表示結果とするか否かを、識別情報の表示結果が導出表示される以前に決定する事前決定手段と、事前決定手段の決定結果にもとづいて、特定表示結果となる可能性があることを報知する予告演出の態様を決定する予告演出決定手段と、予告演出決定手段により決定された予告演出を実行する予告演出実行手段とを備え、予告演出は、予め定められた順番に従って１段階から複数段階まで演出の態様を段階的に変化させる予告演出であって、特定表示結果とする場合は該特定表示結果としない場合よりも多い段階まで演出の態様を段階的に変化させる予告演出を実行する割合が高いステップアップ予告演出を含み、ステップアップ予告演出は、段階的に変化する第１演出、第２演出および第３演出を含む少なくとも３段階以上の演出を実行可能な通常ステップアップ予告演出と、該通常ステップアップ予告演出が実行されている途中の段階である第１分岐タイミングで、次段階の演出に変化させずに、通常ステップアップ予告演出に含まれる演出とは異なる別系統の第１別系統演出に移行して当該第１別系統演出を実行する第１別系統ステップアップ予告演出と、該通常ステップアップ予告演出が実行されている途中の段階である第１分岐タイミング以降の第２分岐タイミングで、次段階の演出に変化させずに、通常ステップアップ予告演出に含まれる演出とは異なる別系統の第２別系統演出に移行して当該第２別系統演出を実行する第２別系統ステップアップ予告演出とを含み、予告演出実行手段は、第１別系統ステップアップ予告演出または第２別系統ステップアップ予告演出を実行するときには、通常ステップアップ予告演出における第１演出から第２演出に変化するタイミングまたは第２演出から第３演出に変化するタイミングと同じタイミングで第１別系統演出または第２別系統演出のうちの少なくともいずれか一つの別系統演出を開始するように構成されているので、予告演出のバリエーションを増やすことができるとともに、遊技者に分岐ステップアップ予告演出に対する興味を持たせることができ、興趣の向上を図ることができる。また、遊技者は同じタイミングで第２演出または第３演出に変化し継続するか、第１別系統演出または第２別系統のうちの少なくともいずれか一つの別系統演出に移行するかを同時に期待することができ、より一層の興趣の向上を図ることができる。
【手続補正９】
【補正対象書類名】明細書
【補正対象項目名】００２０
【補正方法】変更
【補正の内容】
【００２０】
請求項２記載の発明では、第２別系統ステップアップ予告演出で実行される第２別系統演出は、第１別系統ステップアップ予告演出で実行される第１別系統演出とは異なる予告演出であるように構成されているので、別系統の異なる予告演出が実行されることにより、遊技者に、いずれの別系統ステップアップ予告演出であるのか（具体的には、第１別系統ステップアップ予告演出で実行される第１別系統演出であるのか、または第２別系統ステップアップ予告演出で実行される第２別系統演出であるのか）を明確に印象づけることができる。
【手続補正１０】
【補正対象書類名】明細書
【補正対象項目名】００２１
【補正方法】変更
【補正の内容】
【００２１】
請求項３記載の発明では、遊技者が操作可能な操作手段を備え、第１別系統演出および第２別系統演出のうち少なくとも一方の演出は、遊技者による操作手段の操作に応じて特定表示結果となる可能性があることを報知する操作対応演出であるように構成されているので、分岐後の予告演出として遊技者が操作可能な操作予告演出が用意され、分岐後の予告演出の遊技興趣を向上させることができる。
【手続補正１１】
【補正対象書類名】明細書
【補正対象項目名】００２２
【補正方法】変更
【補正の内容】
【００２２】
請求項４記載の発明では、ステップアップ予告演出は、通常ステップアップ予告演出、第１別系統ステップアップ予告演出および第２別系統ステップアップ予告演出とは異なる特別ステップアップ予告演出を含み、予告演出実行手段が、ステップアップ予告演出として通常ステップアップ予告演出と特別ステップアップ予告演出とを可変表示中の同一期間に同時に実行可能であるように構成されているので、複数のステップアップ予告演出（通常ステップアップ予告演出、特別ステップアップ予告演出）を同時に実行して遊技興趣の向上を図ることができる。
【手続補正１２】
【補正対象書類名】明細書
【補正対象項目名】００２３
【補正方法】変更
【補正の内容】
【００２３】
請求項５記載の発明では、予告演出実行手段が、可変表示中における予め定められた異なるタイミングで、通常ステップアップ予告演出および特別ステップアップ予告演出における演出の態様を段階的に変化させる制御を実行するように構成されているので、複数のステップアップ予告演出における演出の変化タイミングが異なるため、遊技者は複数の演出を確認して特定遊技状態の発生を期待しつつ遊技を行うことができ、更なる興趣の向上を図ることができる。
【手続補正１３】
【補正対象書類名】明細書
【補正対象項目名】００２４
【補正方法】変更
【補正の内容】
【００２４】
請求項６記載の発明では、予告演出実行手段が、可変表示中における予め定められた同一のタイミングで、通常ステップアップ予告演出および特別ステップアップ予告演出における演出の態様を段階的に変化させる制御を実行するように構成されているので、複数系統のステップアップ予告演出（通常ステップアップ予告演出、特別ステップアップ予告演出）を同時に実行して興趣の向上を図ることができるとともに、複数系統のステップアップ予告演出の段階（ステップ）を遊技者に容易に認識させることができる。